(57)【特許請求の範囲】
【請求項１】
所定のプリント基板が収容された基板ケースにかしめピンを係合させて当該基板ケースを開封不能又は遊技機から取り外し不能に封止する基板ケースのかしめ構造において、
電力を受けて発光する第一の発光部と、
基板ケース内に設けられ、前記第一の発光部に電力を送る送電部と、を備え、
前記第一の発光部と前記送電部は、前記かしめピンを介して電力を送受可能に構成され、
封止解除に伴う、前記かしめピンの切断又は前記基板ケースからの脱抜によって前記第一の発光部が消灯する
ことを特徴とする遊技機用基板ケースのかしめ構造。
【請求項２】
前記送電部は、第一の電磁コイルを備え、
前記かしめピンが、前記第一の発光部と、前記第一の電磁コイルの周囲に発生した電界により誘導起電力を発生する第二の電磁コイルと、
前記第一の発光部は、前記誘導起電力を受けて発光する
ことを特徴とする請求項１記載の遊技機用基板ケースのかしめ構造。
【請求項３】
前記かしめピンを介さずに、前記送信部からの電力を受けて発光する第二の発光部を備える
ことを特徴とする請求項１又は２記載の遊技機用基板ケースのかしめ構造。
【請求項４】
前記送電部は、第一の電磁コイルと、前記第一の電磁コイルの周囲に発生した電界により誘導起電力を発生する第三の電磁コイルとを備え、
第二の発光部は、前記第三の電磁コイルから誘導起電力を受けて発光する
ことを特徴とする請求項３記載の遊技機用基板ケースのかしめ構造。
【請求項５】
前記送電部を、前記プリント基板と異なる別基板に設け、
前記プリント基板と前記別基板が、前記基板ケースに収容された
ことを特徴とする請求項１〜４のいずれかに記載の遊技機用基板ケースのかしめ構造。
【請求項６】
前記第一の電磁コイルの周囲に発生した電界により誘導起電力を発生する第三の電磁コイルと、
この第三の電磁コイルから誘導起電力を受けて発光する第二の発光部とを有し、
前記第三の電磁コイルと前記第二の発光部が、前記基板に実装された
ことを特徴とする請求項１記載の遊技機用基板ケースのかしめ構造。
【請求項７】
前記かしめピンが、前記第二の電磁コイルの巻かれたコイル軸部を有し、
このコイル軸部が、磁性材料により形成された部分を有する磁性部と、工具により切断可能な切断部とを有する
ことを特徴とする請求項２〜６のいずれかに記載の遊技機用基板ケースのかしめ構造。
【請求項８】
所定のかしめピンを基板ケースに係合させて当該基板ケースを開封不能又は遊技機から取り外し不能に封止する基板ケースのかしめ構造を備える遊技機において、前記基板ケースのかしめ構造が請求項１〜７のいずれかに記載の遊技機用基板ケースのかしめ構造であることを特徴とする遊技機。
【発明の詳細な説明】
【技術分野】
【０００１】
本発明は、所定のプリント基板が収容されている遊技機用基板ケースのかしめ構造、この基板ケースを搭載した遊技機に関し、特に、不正開封された際に、痕跡確認を可能にした遊技機用基板ケースのかしめ構造及び遊技機に関する。
【背景技術】
【０００２】
一般に、スロットマシンやパチンコ機等の遊技機には、ゲーム性に関与する複数の基板が配設されている。
これらの基板には、遊技の結果を左右するとともに、遊技機全体を制御する主要な基板である主基板が含まれている。
主基板は、プリント基板上にＣＰＵ，ＲＯＭ，ＲＡＭ等の種々の電子部品が配置されたコンピュータとして構成されている。
【０００３】
このような遊技の結果を左右する主基板は、不正改造の対象となり易い。例えば、主基板に実装されている電子部品を不正に交換するなどして、出玉を増やすといった不正行為が行われることがある。
このような不正行為を防止するため、通常、主基板を透明な二つのケースの間に挟んで収容するとともに、さらに、このケースを開封不能に封止している。
基板ケースを封止する構造は、かしめ構造と称され、一般的には、ケース同士を専用のかしめピン等で係止することで、開封不能としてある（例えば、特許文献１参照。）。
【先行技術文献】
【特許文献】
【０００４】
【特許文献１】特開２００５−１９２７９２号公報
【発明の概要】
【発明が解決しようとする課題】
【０００５】
しかしながら、不正行為を行おうとする者は、何らかの工具を使って、かしめピンや構造物を破断し、基板ケースを開封して、不正行為を行っていた。
開封された基板ケースは、そのままにしておくと、不正が発覚しやすい状態になることから、中には、かしめピンなどを再生可能に破断し、不正部品の取り付けなどを行った後、破断したかしめピンをきれいに接着して、痕跡が残らないようにする者もいた。
このような行為が行われると、店側としては、不正行為の発見が遅れてしまい、損失が膨大となることから、経営上問題となっていた。
【０００６】
本発明は、上記の事情にかんがみなされたものであり、かしめピン等が破断されたことを早期かつ確実に発見可能にして、店側の損失を抑えることが可能な遊技機用基板ケースのかしめ構造及び遊技機の提供を目的とする。
【課題を解決するための手段】
【０００７】
この目的を達成するため、本発明の遊技機用基板ケースのかしめ構造は、基板ケースを閉状態でかしめるかしめピンと、基板ケースに収納された基板に実装された第一の電磁コイルとを備え、かしめピンが、第一の電磁コイルの周囲に発生した電界により誘導起電力を発生する第二の電磁コイルと、誘導起電力を受けて発光する第一の発光部とを有した構成としてある。
【０００８】
また、本発明の遊技機は、上述の遊技機用基板ケースを備えた構成としてある。
【発明の効果】
【０００９】
本発明の遊技機用基板ケースのかしめ構造及び遊技機によれば、かしめピン等が破断されたことを早期かつ確実に発見可能にして、店側の損失を抑えることができる。
【図面の簡単な説明】
【００１０】
【図１】本発明の実施形態の遊技機（スロットマシン）の構成を示す外観斜視図である。
【図２】主基板が収納された基板ケースの構成を示す外観斜視図である。
【図３】かしめピンにより本体ケースと蓋ケースがかしめられた様子を示す上面図である。
【図４】かしめピンが本体ケースの溝部に嵌合された状態を示す縦方向断面図である。
【図５】かしめピンの胴部が切断された状態を示す上面斜視図である。
【図６】かしめピンの構成を示す外観斜視図である。
【図７】破断検出回路の構成を示す回路図である。
【図８】破断検出回路の他の構成を示す回路図である。
【図９】主基板と副基板が収納された基板ケースの構成を示す外観斜視図である。
【発明を実施するための形態】
【００１１】
以下、本発明に係る遊技機用基板ケースのかしめ構造及び遊技機の好ましい実施形態について、各図を参照して説明する。
遊技機には、パチンコ機、スロットマシン、アレンジボール、雀球など様々な機類があるが、本実施形態では、メダルを遊技媒体とするスロットマシンに本発明の遊技機用基板ケースを適用した場合について説明する。
【００１２】
［スロットマシン］
図１に示すように、スロットマシン１００は、複数のリール１１０ａ，１１０ｂ，１１０ｃを回転させることによって遊技媒体であるメダルを獲得することができる回胴式遊技機を構成している。
スロットマシン１００は、必要な機械、装置等を収納する正面側が開口した筐体１００ｂと、筐体１００ｂの正面側を開閉可能に覆う前扉１００ａとで構成されている。
前扉１００ａは、筐体１００ｂにヒンジ等を介して開閉可能に取り付けられる扉体で、この前扉１００ａに各リール１１０の回転を始動させるスタートレバーや、回転している各リール１１０を停止させる３つの停止ボタンなどの複数の操作手段が設けられて、スロットマシン１００の正面部を構成している。
【００１３】
筐体１００ｂの中央には、リール１１０ａ，１１０ｂ，１１０ｃと、各リール１１０を回転可能に支持する図示しないモータ及び回転位置を検出するセンサ等が設けられている。
また、筐体１００ｂの下部には、メダルの貯留・払出しを行うメダル払出装置１２０が設けられる。
筐体１００ｂの上部には、所定のプリント基板が収容された基板ケース１が設けられている。
【００１４】
基板ケース１は、本発明の遊技機用基板ケースの一例であり、上記の各操作手段からの信号に基づき、各リール１１０、メダル払出装置１２０などの各装置を制御することで、スロットマシン遊技の進行制御を行う、いわゆる主基板２が収容されている。
【００１５】
このような構成からなるスロットマシン１００は、主基板２により、以下のように制御されてスロットマシン遊技が進行する。
まず、遊技者によりメダルが投入され、スタートレバーが操作されると、主基板２は、各リール１１０を回転させる制御を行うとともに、ボーナスや小役等を抽せんする内部抽せんを行い、各停止ボタンが押下操作されたタイミングに基づき、抽せん結果に応じた図柄の組合せで停止するよう、回転している各リール１１０の停止制御を行う。
【００１６】
また、主基板２は、各リール１１０に停止表示される図柄の組合せを判定し、所定の図柄の組合せのときには、メダル払出装置１２０に対して所定数のメダルを払い出させる制御を行う。
このようなスロットマシン遊技の進行を制御する主基板２は、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品が実装された部品実装面２ａと、これらの部品のリード部を半田接合する半田面２ｂとからなるプリント基板で構成されている。
【００１７】
ところで、主基板２は、例えば、ＲＯＭに記憶されているプログラムの内容を書替えたり、実装されている電子部品を異なる電子部品に取り替えたりすることで、スロットマシン１００における遊技特性（例えば、出玉率）を容易に変更できるため、不正改造がなされる可能性の高い基板とされている。
【００１８】
そこで、本実施形態の基板ケース１は、図２〜図５に示すように、主基板２を蓋ケース３と本体ケース４の間に挟んで収容するとともに、所定のかしめピン６を蓋ケース３と本体ケース４に係合させて開封不能に封止している。
そして、かしめピン６により基板ケース１が封止しているときはかしめピン６の発光部７２１（後述）が発光し、かしめピン６が切断又は破壊されると、その発光部７２１が消灯して、不正に開封されたことを容易に視認できるようにしてある。
以下、本実施形態の基板ケース１の構成について、図２〜図８を参照しつつ説明する。
【００１９】
［基板ケース］
基板ケース１は、図２に示すように、矩形状のケース構造を有し、主基板２の部品実装面側を覆う蓋ケース３と、半田面側を覆う本体ケース４を備えている。
主基板２は、蓋ケース３又は本体ケース４のいずれかに、所定のネジにより螺着されて収容されるようになっている。
蓋ケース３と本体ケース４は、部品実装面と半田面を外部から視認可能、かつ、容易に破壊できないように、無色透明な工業用樹脂（例えば、ポリカーボネート）で形成されている。
【００２０】
また、基板ケース１は、蓋ケース３と本体ケース４とを開閉可能に支持するヒンジ（図示せず）を備えている。このヒンジは、ケース閉状態において、蓋ケース３と本体ケース４とを軸止し、ヒンジ側からケースを開放することができないように構成してある。
【００２１】
この基板ケース１は、本体ケース４側が筐体１００ｂ奥に面するとともに、蓋ケース３側が筐体１００ｂの正面側開口を向くように、すなわち、部品実装面が正面から見えるよう、筐体１００ｂに配置されている。
また、基板ケース１が取り付けられる筐体１００ｂ奥には、基板ケースホルダ５が設置されており、この基板ケースホルダ５に基板ケース１が嵌め込まれ、さらにかしめピン６で取り外し不能にかしめられている。
【００２２】
この基板ケース１は、基板ケースホルダ５から取り外し不能に封止するかしめ構造を備えている。
具体的には、かしめ構造（第一のかしめ構造）は、図２〜図５に示すように、蓋ケース３の外縁の一部に形成された蓋かしめ部３０と、基板ケースホルダ５に形成されたホルダかしめ部５０と、これら蓋かしめ部３０とホルダかしめ部５０の両方に係合するかしめピン６とを有して構成されている。
【００２３】
蓋かしめ部３０は、図３及び図４に示すように、基板ケースホルダ５に向かって垂下する縦部材３１を有している。この縦部材３１には、かしめピン６が挿通可能に開口された開口部３１１が穿設されており、この開口部３１１の周辺には、かしめピン６のハネ部６１が係止するハネ部当接部３１２と、かしめピン６の胴部６２が係止する胴部係止部３１３が形成されている。
【００２４】
ハネ部当接部３１２は、かしめピン６を開口部３１１に挿通しきった状態において、ハネ部６１の端部６１２から見て挿通方向とは逆の方向に位置する縦部材３１の一部分である。このハネ部当接部３１２を有することで、開口部３１１に挿通後のかしめピン６を挿通方向とは逆の方向へ抜こうとしても、ハネ部６１の端部６１２がそのハネ部当接部３１２に当接するので、このかしめピン６を脱抜不能とすることができる。
【００２５】
胴部係止部３１３は、開口部３１１の周縁のうち、開口部３１１に挿通後のかしめピン６の胴部６２の下方に位置する部分であって、蓋ケース３を開こうとしたときに、その胴部６２に当接する部分である。これにより、かしめピン６は、蓋ケース３を基板ケースホルダ５から取り外し不能に封止することができる。
なお、基板ケース１が基板ケースホルダ５に取り付けられるとともに蓋ケース３と本体ケース４が封止されたケース閉状態においては、胴部係止部３１３がかしめピン６の胴部６２にほぼ接触していることが望ましい。これにより、ケース閉状態における蓋ケース３と本体ケース４との間で隙間が開くのをなくすことができる。
【００２６】
蓋かしめ部３０の上面には、窓部３１４が穿設されている。窓部３１４は、かしめピン６が開口部３１１に挿通された状態にあるときに、かしめピン６の胴部６２の上方に位置するように形成されている。
この窓部３１４があることで、ここにニッパなどの工具を挿入し、かしめピン６の胴部６２を切断することができる（図５参照）。
【００２７】
ホルダかしめ部５０は、かしめピン６の挿通方向に沿って溝状に凹設された溝部５１を有している。溝部５１は、少なくともかしめピン６の頭部６３が納まる程度の幅で形成されている。この溝部５１の入口５１１は、基板ケースホルダ５の縁に位置し、ここから主基板２に向かって溝部５１が形成され、溝部出口５１２は、その主基板２に向かって開口している。
そして、基板ケース１をケース閉状態にすると、溝部出口５１２の先に、蓋かしめ部３０の開口部３１１が位置するようになる。これにより、溝部出口５１２と開口部３１１がそれぞれ連通し、かしめピン６を挿通することができるようになっている。
【００２８】
この溝部５１には、かしめピン６が、頭部６３を溝部入口５１１の方に向け、ハネ部６１を溝部出口５１２の方に向けて収められている。そして、かしめピン６は、その収められた溝部５１の中で、溝部入口５１１へ向かう方向と溝部出口５１２へ向かう方向の双方向に移動可能となっている。ただし、かしめピン６のハネ部６１が開口部３１１に挿通された後は、このかしめピン６は、胴部６２を切断しない限り、溝部入口５１１へ向かう方向に移動させることはできない。
なお、溝部入口５１１から溝部出口５１２までの長さは、図３、図４に示すように、かしめピン６の頭部６３からハネ部６１までの長さよりも長くすることができる。ただし、長くすることに限るものではなく、例えば、それとほぼ同じ長さとすることもでき、あるいは、短くすることもできる。
【００２９】
溝部５１の側面５１３には、かしめピン６の移動方向に沿って細溝部５１４が形成されている。細溝部５１４は、かしめピン６の頭部６３の側面６３２に形成された耳部６３３が嵌合する部分であって、かしめピン６を主基板２の基板面方向に移動させるためのガイドの役割をしている。
また、この細溝部５１４にかしめピン６の耳部６３３を嵌合させることで、かしめピン６の頭部６３は、主基板２の基板面に対して垂直方向（あるいは、細溝部５１４が形成されていない方向）に移動できなくなる。これにより、ハネ部６１が開口部３１１に挿通されたかしめピン６は、胴部６２が開口部３１１に挿入した状態で留まり、頭部６３の耳部６３３が細溝部５１４に嵌合した状態にあるので、このかしめピン６を基板ケースホルダ５又は本体かしめ部４０（後述）から取り外すことができないようになっている。
【００３０】
溝部５１の底面５１５のうち溝部入口５１１の近傍には、底部係止部５１６が形成されている。底部係止部５１６は、上向きの鉤状に形成されており、かしめピン６の頭部６３の底面６３４に形成された凹部６３５に係合する。
この底部係止部５１６は、溝部入口５１１の近傍に形成されていることから、開口部３１１に挿通する前のかしめピン６を係止することができる。これにより、かしめピン６が不用意に主基板２の方へ移動して開状態の蓋ケース３を閉じようとするのを邪魔したり、コイルＡに近づいて発光部７２１が不用意に発光するのを防止できる。
【００３１】
ここまで、基板ケース１を基板ケースホルダ５から取り外し不能に封止するかしめ構造について説明したが、同様に、基板ケース１は、蓋ケース３と本体ケース４とを開封不能に封止するかしめ構造を備えている。
具体的には、かしめ構造（第二のかしめ構造）は、図２〜図５に示すように、蓋ケース３の外縁の一部に形成された蓋かしめ部３０と、本体ケース４の外縁の一部に形成された本体かしめ部４０と、これら蓋かしめ部３０と本体かしめ部４０の両方に係合するかしめピン６とを有して構成されている。
【００３２】
蓋かしめ部３０は、上述した第一のかしめ構造における蓋かしめ部３０と同様の構造を有している。
本体かしめ部４０は、上述した第一のかしめ構造におけるホルダかしめ部５０と同様の構造を有している。
これにより、蓋かしめ部３０と本体かしめ部４０の両方にかしめピン６を係合させることで、それら蓋かしめ部３０と本体かしめ部４０とを開封不能に封止することができる。
なお、本体かしめ部４０においては、底部係止部５１６を省略できる。
【００３３】
［かしめピン］
かしめピン６は、ピン材の一例であり、基板ケースホルダ５の溝部５１に嵌め込まれるとともに、閉状態の蓋ケース３の開口部３１１に挿通して、基板ケース１が基板ケースホルダ５から取り外し不能に封止する閂（かんぬき）として機能する。
また、かしめピン６は、本体ケース４の溝部４１に嵌め込まれるとともに、閉状態の蓋ケース３の開口部３１１に挿通して、それら本体ケース４と蓋ケース３とを開封不能に封止する閂として機能する。
【００３４】
かしめピン６は、図６に示すように、ハネ部６１と、胴部６２と、頭部６３とで構成されている。
ハネ部６１は、かしめピン６を開口部３１１に挿通するときに真っ先に挿入される部分であって、胴部６２の先端から斜め後ろ方向に延設した延設部６１１を有しており、Λ（ラムダ）の文字のような形状をなしている。つまり、このハネ部６１は、ちょうど矢印のアローヘッド（矢尻）に相当し、胴部６２がシャフトに相当して、矢印「↑」の形状のように形成されている。
【００３５】
延設部６１１は、胴部６２との接合部分を起点として延設された平板バネであって、弾性体で形成されている。このため、二本の延設部６１１の各端部６１２同士の長さよりも短い幅の開口部３１１に挿入されると、延設部６１１は、開口部３１１の周縁から荷重を受けて胴部６２の方へ撓んで弾性変形する。そして、延設部６１１の端部６１２が開口部３１１を通過すると、荷重がなくなり、延設部６１１は、もとの形状に戻る。この復元した延設部６１１の端部６１２は、ハネ部当接部３１２に近接している。このため、かしめピン６を溝部入口５１１の方へ引き抜こうとしても、延設部６１１の端部６１２がハネ部当接部３１２に当接するので、かしめピン６は脱抜不能となる。
なお、本実施形態において、延設部６１１は、二本としてあるが、二本に限るものではなく、一本又は三本以上であってもよい。
【００３６】
胴部６２は、ハネ部６１と頭部６３とをつなぐ部分であって、円筒形状又は円柱形状に形成されている。
この胴部６２は、外周にコイルＢ（第二の電磁コイル）が巻きつけられており、コイル軸部として機能する。
この胴部６２は、コイルＢが巻かれた範囲内で、磁性材料により形成された部分を有する磁性部６２−１と、工具により切断可能な切断部６２−２とを有している。
【００３７】
磁性部６２−１は、同軸の二重構造とすることができ、例えば、円筒形状の樹脂管の中に鉄心を挿入した構造とすることができる。
鉄心は、ケイ素鋼などの磁性材料で形成されている。これにより、鉄損などを減らして効率的にコイルＢに誘導電流Ｉを流したり、コイルＢに発生する誘導起電力Ｖを大きくしたりすることができる。
なお、本実施形態において磁性部６２−１は、樹脂管と鉄心の二重構造とするが、この構造に限るものではなく、例えば磁性部６２−１の全体を磁性材料で形成することもできる。
【００３８】
切断部６２−２は、ニッパなどの剪断工具等により剪断可能な程度の硬度を有した部分であり、例えば、プラスチックなどの合成樹脂等で形成できる。この切断部６２−２は、切断を容易にするために、切欠部分を設けたり、中空の円筒形状にしたり、肉薄にしたり、あるいは空芯コイルにしたりすることができる。
なお、磁性部６２−１のみならず切断部６２−２も、磁性体により形成できる。例えば、磁性材料を混ぜ合わせたプラスチックなどにより形成することができる。この切断部６２−２も、剪断工具等により剪断可能となっている。
【００３９】
頭部６３は、胴部６２の端部に接合しており、ほぼ直方体に形成された筐体６３１の内部に、破断検出回路７の検出回路７２が実装された回路基板６３６などを内包している。この破断検出回路７については、後記の「破断検出回路」で詳述する。
筐体６３１は、容易に破壊できない工業用樹脂（例えば、ポリカーボネート）で形成することができ、側面６３２には、細溝部５１４に嵌合される耳部６３３が形成され、底面６３４には、底部係止部５１６に係止する凹部６３５（図４）が形成されている。
また、筐体６３１の上面には、発光部７２１の発光が目視できるように、透明又は半透明の板部材６３７が嵌合されている。
【００４０】
［破断検出回路］
破断検出回路７ａは、電磁誘導回路を含んでおり、主基板２の縁部の所定の箇所に配置された送電回路７１と、かしめピン６に実装された検出回路７２とを有している。
送電回路（送電部）７１は、図７に示すように、発振回路７１１と一次側コイルＡが直列に接続された回路である。
発振回路７１１は、時間的に変化する電流Ｉ１をコイルＡに流す。これにともない、コイルＡの周囲には、時間的に変化する磁場（磁束）が発生する。
【００４１】
コイルＡ（第一の電磁コイル）は、図３に示すように、主基板２の縁部において、コイルＡの内側で発生する磁場（磁束）の向きが主基板２の縁部から外方へ向かう方向となるように配置されている。一方、その磁場を受けるかしめピン６は、基板ケースホルダ５の溝部５１又は本体ケース４の溝部４１に嵌合された状態において、コイルＢが巻かれた胴部６２の長手方向にコイルＡが位置するように配置されている。つまり、コイルＡの内側で発生する磁場（磁束）の向きとかしめピン６の胴部６２の長手方向（あるいは、溝部５１に嵌合されたかしめピン６が開口部３１１へ挿通する方向）が、ほぼ同一線上となるように、コイルＡとかしめピン６がそれぞれ配置されている。これにより、コイルＡは、かしめピン６のコイルＢに非接触で電力を供給することができる。
【００４２】
検出回路７２は、図７に示すように、コイルＢと、発光部７２１と、抵抗７２２とを直列に接続した回路である。
コイルＢ（第二の電磁コイル）は、例えば、軟銅線やエナメル銅線などを用いることができ、かしめピン６の胴部６２の外周に巻きつけられている。このコイルＢは、送電回路７１のコイルＡの周囲に発生した磁場（磁束）の変化を受け、相互誘導により誘導起電力Ｖ２を発生させ、誘導電流Ｉ２を流す。
【００４３】
このコイルＢは、胴部６２の外周に複数層で巻き付けることができる。これにより、誘導起電力Ｖ２を多く発生させる（誘導電流Ｉ２を多く流す）ことができる。
また、コイルＢは、切断時に修復を困難にするために、複数層で巻きつけることができる。
【００４４】
発光部（第一の発光部）７２１は、例えば、発光ダイオード（ＬＥＤ：Light Emitting Diode）などを用いることができ、コイルＢからの誘導起電力Ｖ２が所定値（ＬＥＤでは順方向降下電圧ＶＦ）を越えると発光する。
抵抗７２２は、発光部７２１が定格電流の範囲内で発光するように、電流Ｉ２を抑制する。
なお、コイルＢは、かしめピン６の胴部６２に巻きつけられているが、発光部７２１と抵抗７２２は、回路基板６３６に実装されて、かしめピン６の頭部６３の筐体６３１の内部に収納することができる。
【００４５】
この破断検出回路７ａは、次のような動作をする。
送電回路７１では、発振回路７１１から出力された電流Ｉ１により、コイルＡの周囲に、時間的に変化する磁場が発生する。
コイルＡとコイルＢが十分離れているとき、例えば、かしめピン６が溝部５１に嵌合されていないとき、あるいは、かしめピン６が溝部５１に嵌合されているが開口３１１に挿通されていないとき（かしめピン６の頭部６３の凹部６３５が溝部５１の底部係止部５１６に係合しているときなど）には、コイルＡの周囲に発生した磁場がコイルＢに影響を与えず、あるいは、相互誘導により誘導起電力Ｖ２が発生しても、この誘導起電力Ｖ２がわずかであるために、発光部７２１は、発光しない。この場合は、かしめピン６による基板ケース１の封止がなされていないと判断できる。
【００４６】
コイルＡとコイルＢが近づいたとき、例えば、溝部５１に嵌合されたかしめピン６が開口３１１に挿通されたときには、コイルＡの周囲に発生した磁場がコイルＢに影響を与え、相互誘導により誘導起電力Ｖ２が発生して、発光部７２１を発光させる。この場合は、かしめピン６により、基板ケース１が封止されたと判断できる。
【００４７】
その後、工具などによりかしめピン６の胴部６２が切断されたとき、コイルＢも同時に切断される。すると、このコイルＢの切断により検出回路７２が寸断され、電流Ｉ２が流れなくなり、発光部７２１は消灯する。この発光部７２１が消灯していることを視認することで、かしめピン６が切断されたものと判断できる。
なお、切断されたコイルＢは、復元が困難である。このため、不正行為を行う者がコイルＢを切断すると、検出回路７２は寸断された状態で放置され、発光部７２１は点灯不能となる。これにより、遊技ホールの店員が気付くまでは、少なくともその発光部７２１の消灯状態が維持されるので、これが不正行為の証拠となり、主基板２に対する不正行為を確実に発見できる。
【００４８】
なお、図８に示すように、破断検出回路７ｂには、自己診断回路７３を接続することができる。
自己診断回路７３は、主基板２に備える回路であって、送電回路７１が正常かどうかを診断する回路である。
この自己診断回路７３は、検出回路７２と同じ構成を有している。すなわち、自己診断回路７３は、コイルＣ（第三の電磁コイル）と発光部（第二の発光部）７３１と抵抗７３２とを直列に接続した回路構成を有している。
【００４９】
コイルＣは、送電回路７１のコイルＡの近傍に配置される。特に、コイルＣは、図３に示すように、コイルＡが巻きつけられた鉄心に、コイルＡと同じように巻き付けることができる。これにより、コイルＡの周囲に時間的に変化する磁場が発生すると、コイルＣにて相互誘導により誘導起電力Ｖ３が発生し、誘導電流Ｉ３を流して、発光部７３１を点灯させることができる。よって、主基板２に実装された送電回路７１が起動しているにもかかわらず、自己診断回路７３の発光部７３１が消灯しているときは、送電回路７１に何らかの異常が発生しているものと判断できる。このように、自己診断回路７３を設けることで、送電回路７１が正常に動作しているか否かを判断できる。
【００５０】
また、かしめピン６により基板ケース１が封止状態にある場合において、そのかしめピン６の発光部７２１が発光していないものの、自己診断回路７３の発光部７３１が発光しているときは、送電回路７１は正常であって、かしめピン６が確実に切断されているものと判断できる。
【００５１】
以上説明したように、本実施形態の遊技機用基板ケースのかしめ構造及び遊技機によれば、かしめピン等が破断されたことを早期かつ確実に発見可能にして、店側の損失を抑えることが可能とすることができる。
【００５２】
以上、本発明の遊技機用基板ケースのかしめ構造及び遊技機の好ましい実施形態について説明したが、本発明に係る遊技機用基板ケースのかしめ構造及び遊技機は上述した実施形態にのみ限定されるものではなく、本発明の範囲で種々の変更実施が可能であることは言うまでもない。
例えば、上述した実施形態では、コイルＡの数をかしめピン６の数と同じとし、これらを一対一で対応させていたが、一対一に限るものではなく、例えば、図２に示すように、複数のかしめピン６に対して送電する一対多数用コイルＡ１を備えることもできる。これにより、コイルＡとかしめピン６を一対一とした場合に比べて、部品点数を削減できる。
【００５３】
また、送電回路７１及び自己診断回路７３は、図９に示すように、主基板２とは別の基板（副基板８）に設けて主基板ケース１内に収めることもできる。このような構成によれば、遊技に係る基板、すなわち主基板２を変更することなく、本発明の効果を発揮することができる。
【００５４】
さらに、未封印時は、コイルＡとコイルＢによる相互誘導による誘導起電力により、かしめピン６の発光部７２１が発光しないようにコイルＡまたはコイルＢをシールドする構造で、封印時は、かしめピン６がシールドを突き破り、コイルＡとコイルＢによる相互誘導による誘導起電力により、かしめピン６の発光部７２１が発光する距離に配置されている構造にしてもよい。
しかも、かしめの破損の確認は、電源ＯＮ時のみだけでなく、電源ＯＦＦ時にも確認する場合は、バックアップ電源によりこの回路を動作させてもよい。
【００５５】
また、上述した実施形態においては、送電部７１から発光部６２１への電力供給を電磁誘導を用いて行っているが、電磁誘導に限るものではなく、例えば、ケーブル接続によって供給することもできる。
さらに、上述した実施形態においては、第一の発光部６２１をかしめピン６に設けたが、かしめピン６に設けることに限るものではなく、主基板２に設けることもできる。この場合、送電部７１の配線の一部又は検出回路７２の配線の一部をかしめピン６に配線するようにすればよい。
【産業上の利用可能性】
【００５６】
本発明は、遊技機に取り付けられる遊技機用基板ケースに広く利用することができる。
【符号の説明】
【００５７】
１  基板ケース
２  主基板
６  かしめピン
６２  胴部（コイル軸部）
６２−１  磁性部
６２−２  切断部
７  破断検出回路
７１  送電回路（送電部）
７２１  発光部（第一の発光部）
７３１  発光部（第二の発光部）
１００  スロットマシン（遊技機）
Ａ  電磁コイル（第一の電磁コイル）
Ｂ  電磁コイル（第二の電磁コイル）
Ｃ  電磁コイル（第三の電磁コイル）
【図１】
0005403550.tif 000002
【図２】
0005403550.tif 000003
【図３】
0005403550.tif 000004
【図４】
0005403550.tif 000005
【図５】
0005403550.tif 000006
【図６】
0005403550.tif 000007
【図７】
0005403550.tif 000008
【図８】
0005403550.tif 000009
【図９】
0005403550.tif 000010